(57)【要約】      （修正有）【課題】軸受用ころのクラウニング部を含む軌道面全域を効率的に、かつ高精度に加工する超仕上げ加工方法および超仕上げ装置を提供する。【解決手段】螺旋状に続く案内ねじ面５４ａ、５４ｂを外周に有し中心軸Ｌ１、Ｌ２周りに回転駆動される一対のフィードドラム５１、５２を平行に設置し、これらフィードドラム５１、５２は、互いに対向する案内ねじ面５４ａ、５４ｂで軸受用ころＷを支持して回転させ両フィードドラム５１、５２間を通し送りするものであり、両フィードドラム５１、５２間を通過するワークＷの外周面を砥石５３で加工する軸受用ころの超仕上げ加工方法において、案内ねじ面５４ａ、５４ｂのねじ底角度をフィードドラム５１、５２の軸方向の位置により変化させ、両フィードドラム５１、５２間を通過するワークＷの１回の通し送りにより、軸受用ころの転動面のストレート部とその両端のクラウニング部を超仕上げ加工することを特徴とする。【選択図】図５
2017094404.tif 000002
【特許請求の範囲】
【請求項１】
螺旋状に続く案内ねじ面を外周に有し中心軸周りに回転駆動される一対のフィードドラムを平行に設置し、これらフィードドラムは、互いに対向する前記案内ねじ面で軸受用ころとなるワークを支持して回転させ前記両フィードドラム間を通し送りするものであり、前記両フィードドラム間を通過する前記ワークの外周面を砥石で加工する軸受用ころの超仕上げ加工方法において、
前記案内ねじ面のねじ底角度を前記フィードドラムの軸方向の位置により変化させ、
前記両フィードドラム間を通過する前記ワークの１回の通し送りにより、前記軸受用ころの転動面のストレート部とその両端の対数曲線クラウニング部を超仕上げ加工することを特徴とする軸受用ころの超仕上げ加工方法。
【請求項２】
前記案内ねじ面のねじ底角度を前記フィードドラムの軸方向の位置により連続的にあるいは段階的に変化させたことを特徴とする請求項１に記載の軸受用ころの超仕上げ加工方法。
【請求項３】
前記軸受用ころが円すいころであることを特徴とする請求項１又は請求項２に記載の軸受用ころの超仕上げ加工方法。
【請求項４】
前記軸受用ころが円筒ころであることを特徴とする請求項１又は請求項２に記載の軸受用ころの超仕上げ加工方法。
【請求項５】
螺旋状に続く案内ねじ面を外周に有し中心軸周りに回転駆動される一対のフィードドラムを平行に設置し、これらフィードドラムは、互いに対向する前記案内ねじ面で軸受用ころとなるワークを支持して回転させ前記両フィードドラム間を通し送りするものであり、前記両フィードドラム間を通過する前記ワークの外周面を加工する砥石を備えた軸受用ころの超仕上げ加工装置において、
前記一対のフィードドラムの案内ねじ面のねじ底角度を前記軸受用ころの転動面のストレート部とその両端の対数曲線クラウニング部の形状に対応して変化させたことを特徴とする軸受用ころの超仕上げ加工装置。
【請求項６】
前記案内ねじ面のねじ底角度を前記フィードドラムの軸方向の位置により連続的にあるいは段階的に変化させたことを特徴とする請求項５に記載の軸受用ころの超仕上げ加工装置。
【発明の詳細な説明】
【技術分野】
【０００１】
本発明は、軸受用ころの対数曲線クラウニングを形成した転動面の超仕上げ加工方法および超仕上げ加工装置に関する。
【背景技術】
【０００２】
一般に円すいころ軸受に使用される円すいころの外径面には超仕上げ加工が施される。昨今、円すいころ軸受のミスアライメントによって、ころの端部に発生する応力集中（エッジロード）をなくす要求があり、ころの転動面の端部に対数曲線クラウニングや複合曲率の円弧で構成されたクラウニングを採用することが多い。また、円すいころ軸受に使用される円すいころは、その転動面を超仕上げ加工することが求められるが、従来の超仕上げ加工では、クラウニング部を効率的、かつ高精度に超仕上げ加工を行うことは困難であった。この問題に対する提案技術として、特許文献１や特許文献２がある。
【先行技術文献】
【特許文献】
【０００３】
【特許文献１】実開昭５６−１２１５６２号公報
【特許文献２】特開２０１２−６１５７１号公報
【発明の概要】
【発明が解決しようとする課題】
【０００４】
特許文献１の方法では、円すいころのクラウニング部の超仕上げ加工において、円すいころの支持面となるフィードドラムの案内ねじ面の角度を入口側と出口側で変化させている。しかし、この方法では、ころの転動面端部の対数曲線クラウニングや複合曲率の円弧で構成されたクラウニングを超仕上げ加工することはできない。さらに、クラウニング部を含む軌道面全域を効率的に、かつ高精度に超仕上げ加工するという着目がない。
【０００５】
特許文献２の方法では、フィードドラムに多条の分割ねじによって、ころの軸中心を傾けることを特徴としているが、この方法では、ある程度小さい単一曲率のクラウニングは加工できるが、多条の分割ねじ部の摩耗問題等から、ころの転動面の端部の対数曲線クラウニングや複合曲率の円弧で構成されたクラウニングを安定して超仕上げ加工することは困難である。さらに、このような対数曲線クラウニング部を含めた軌道面全域を連続的に超仕上げ加工することはできない。また、分割ねじを別個に加工する必要があるため、フィードドラムの生産性が著しく低い。
【０００６】
本発明は、上記の問題に鑑み、軸受用ころの対数曲線クラウニング部を含む軌道面全域を効率的に、かつ高精度に加工する軸受用ころの超仕上げ加工方法および超仕上げ装置を提供することを目的とする。
【課題を解決するための手段】
【０００７】
本発明者らは、上記の目的を達成するために種々検討した結果、フィードドラムの進入側から排出側に向かって案内ねじ面のねじ底角度を変化させ、軸受用ころの対数曲線クラウニング部を含む軌道面全域を超仕上げ加工するという新たな着想に至った。
【０００８】
前述の目的を達成するための技術的手段として、本発明は、螺旋状に続く案内ねじ面を外周に有し中心軸周りに回転駆動される一対のフィードドラムを平行に設置し、これらフィードドラムは、互いに対向する前記案内ねじ面で軸受用ころとなるワークを支持して回転させ前記両フィードドラム間を通し送りするものであり、前記両フィードドラム間を通過する前記ワークの外周面を砥石で加工する軸受用ころの超仕上げ加工方法において、前記案内ねじ面のねじ底角度を前記フィードドラムの軸方向の位置により変化させ、前記両フィードドラム間を通過する前記ワークの１回の通し送りにより、前記軸受用ころの転動面のストレート部とその両端の対数曲線クラウニング部を超仕上げ加工することを特徴とする。
【０００９】
また、超仕上げ加工装置についての本発明は、螺旋状に続く案内ねじ面を外周に有し中心軸周りに回転駆動される一対のフィードドラムを平行に設置し、これらフィードドラムは、互いに対向する前記案内ねじ面で軸受用ころとなるワークを支持して回転させ前記両フィードドラム間を通し送りするものであり、前記両フィードドラム間を通過する前記ワークの外周面を加工する砥石を備えた軸受用ころの超仕上げ加工装置において、前記一対のフィードドラムの案内ねじ面のねじ底角度を前記軸受用ころの転動面のストレート部とその両端の対数曲線クラウニング部の形状に対応して変化させたことを特徴とする。
【００１０】
上記の構成により、軸受用ころの対数曲線クラウニング部を含む軌道面全域を効率的に、かつ高精度に加工する軸受用ころの超仕上げ加工方法および超仕上げ装置を実現することができる。ここで、対数曲線クラウニングとは、対数曲線からなるクラウニングと、曲率の異なる複数円弧が滑らかに接続された対数曲線に近似したクラウニングとを含む意味のものである。また、通し送りとは、ワークを両フィードドラムの進入側から排出側まで軸方向に通過させる送りを意味する。
【００１１】
上記の案内ねじ面の底面の角度を前記フィードドラムの軸方向の位置により連続的にあるいは段階的に変化させたことにより、軸受用ころの対数曲線クラウニング部を有する転動面全域を１台の加工機で超仕上げ加工することができ、製造コストの低減、生産性の向上が図れる。
【００１２】
上記の軸受用ころが円すいころや円筒ころであることにより、量産製品である円すいころ軸受や円筒ころ軸受に対する要求性能を満足し、かつ、製造コストの低減、生産性の向上が図れる。
【発明の効果】
【００１３】
本発明によれば、軸受用ころの対数曲線クラウニング部を含む軌道面全域を効率的に、かつ高精度に加工する軸受用ころの超仕上げ加工方法および超仕上げ装置を実現することができる。
【図面の簡単な説明】
【００１４】
【図１】本発明の一実施形態に係る超仕上げ加工方法および超仕上げ加工装置によって加工される軸受用ころを組み込んだ円すいころ軸受の縦断面図である。
【図２】（ａ）は、図１の円すいころの正面図で、（ｂ）図は、（ａ）図のＡ部の拡大図である。
【図３】本発明の一実施形態に係る超仕上げ加工装置の平面図である。
【図４】同超仕上げ加工装置の平面図である。
【図５】図４のＢ−Ｂ線で矢視した横断面図である。
【図６】同超仕上げ加工装置のフィードドラムの要部の正面図である。
【図７】同超仕上げ加工装置で超仕上げ加工を行う作動の概念を示す図である。
【図８】同超仕上げ加工装置で超仕上げ加工を行う作動の概念を示す図である。
【図９】同超仕上げ加工装置で超仕上げ加工を行う具体例を示す図である。
【図１０】本発明の一実施形態に係る超仕上げ加工方法および超仕上げ加工装置によって加工される軸受用ころを組み込んだ円筒ころ軸受の縦断面図である。
【発明を実施するための形態】
【００１５】
本発明の一実施形態に係る超仕上げ加工方法および超仕上げ加工装置を図１〜図９に基づいて説明する。まず、本実施形態に係る超仕上げ加工方法および超仕上げ加工装置によって加工される軸受用ころを組み込んだ円すいころ軸受を図１、図２に基づいて説明する。
【００１６】
図１は円すいころ軸受の縦断面図である。円すいころ軸受１は、外輪２と内輪３と円すいころ４と保持器５とで構成されている。外輪２は、その内周面に円すい状の軌道面６を有する。内輪３は外周面に円すい状の軌道面８を有し、軌道面８の大径側に大つば面７を、小径側に小つば面１０を有する。円すいころ４は、外輪２と内輪３との間に配置され、外周面に円すい状の転動面９を有し、大端面１１と小端面１２を有する。転動面９は円錐角θを有する。保持器５は多数の円すいころ４を一定間隔でポケット１３に転動自在に収容する。円すいころ４の転動面９の大端面１１側および小端面１２側に対数曲線クラウニングが形成されている。
【００１７】
図２（ａ）、図２（ｂ）に基づいて、円すいころ４の転動面９に形成された対数曲線クラウニングを説明する。図２（ａ）は円すいころ４の正面図で、中心線から上側半分を示す。図２（ｂ）は、図２（ａ）のＡ部の拡大図である。図２（ａ）に示すように、円すいころ４の転動面９は、直線形状のストレート部９ａと、このストレート部９ａの軸方向両端から小端面１２側に形成されたクラウニング部９ｂと大端面１１側に形成されたクラウニング部９ｃとからなる。
【００１８】
円すいころ４の小端面１２側に形成されたクラウニング部９ｂの詳細を図２（ｂ）に基づいて説明する。クラウニング部９ｂは、ストレート部９ａに大きな曲率半径Ｒ１、Ｒ２、Ｒ３をもつ３つの円弧が滑らかに接続され複合的な円弧形状で構成されている。そして、クラウニング部９ｂのドロップ量として、第１のゲートのドロップ量Ｚ１、中間の第２のゲートのドロップ量Ｚ２、最大の第３のゲートのドロップ量Ｚ３を規定することにより、対数曲線に近似したクラウニング形状となる。これにより、エッジロードを回避し軸方向の面圧分布を均一化できる。ドロップ量は、サイズや型番によって異なるが、最大でも２０μｍ〜４０μｍ程度である。大端面１１側に形成されたクラウニング部９ｃは、クラウニング部９ｂと同様であるので、説明を省略する。
【００１９】
円すいころ４は、後述するワークＷを超仕上げ加工することより製作されるので、図２（ａ）、図２（ｂ）に符号Ｗを併記する。超仕上げ加工前のワークＷは、転動面９のストレート部９ａ、クラウニング部９ｂ、９ｃに対応する部分が研削加工されている。しかし、これに限られず、ワークＷの転動面９に対応する部分は、全長にわたって直線形状に研削加工され、クラウニング部が形成されていないものであってもよい。この場合は、超仕上げ加工によりクラウニング部を形成する。円すいころ４の転動面９、ストレート部９ａ、クラウニング部９ｂ、９ｃについて、以降の超仕上げ加工におけるワークＷの説明では、ワークＷの外周面において、転動面９に対応する部分を転動面９対応部と、ストレート部９ａに対応する部分をストレート部９ａ対応部と、クラウニング部９ｂに対応する部分をクラウニング部９ｂ対応部と、クラウニング部９ｃに対応する部分をクラウニング部９ｃ対応部と、それぞれ称する。
【００２０】
次に、本発明の一実施形態に係る超仕上げ加工装置を図３〜図９に基づいて説明する。以下の説明は、本発明の一実施形態に係る超仕上げ加工方法についての説明も含む。この実施形態に係る超仕上げ加工装置では、円すいころの軌道面を超仕上げ加工する例について説明する。
【００２１】
超仕上げ加工装置の構成を説明する。図３〜図５に示すように、超仕上げ加工装置５０は、主に、一対のフィードドラム５１、５２と、砥石５３（図５参照）とを備えている。フィードドラム５１、５２は、それぞれ螺旋状に続く案内ねじ面５４ａ、５４ｂを外周に有し、フィードドラム５１には、案内ねじ面５４ａの端部に鍔部５５が設けられている。フィードドラム５１、５２は、その中心軸Ｌ１、Ｌ２の周りに回転駆動される。一対のフィードドラム５１、５２は、所定の間隔を隔てて平行に配置されている。フィードドラム５１、５２は、互いに対向する案内ねじ面５４ａ、５４ｂでワークＷを支持して回転させ、ワークＷがフィードドラム５１、５２間を通し送りされる。
【００２２】
砥石５３は、転動面９対応部の全長が直線形状に研削加工されたワークＷに超仕上げ加工を施すことにより図２に示す円すいころ４に仕上げるものである。前述したように、円すいころ４の転動面９は、ストレート部９ａとクラウニング部９ｂ、９ｃとからなる。砥石５３（図５参照）の加工面である下端縁部５３ａをワークＷの軌道面９対応部に当接させた状態で、ワークＷを自転させながら通し送りすることで、ワークＷの軌道面９対応部を超仕上げ加工する。
【００２３】
図５、図６に示すように、砥石５３として、この例では、板状に形成された、いわゆるスティック砥石が用いられる。これらの板状の砥石５３は、フィードドラム５１、５２の中心軸Ｌ１、Ｌ２に平行に複数並べて配置され、図５に示すように、板状の砥石５３の加工面である下端縁部５３ａがそれぞれフィードドラム５１、５２の間に挿入されるように配置されている。
【００２４】
複数の砥石５３は、図５、図６に示すように支持部材Ｍに支持され、各砥石５３は、図６に示すように支持部材Ｍに対し中心軸Ｌ１、Ｌ２（図５参照）に平行に揺動可能に構成されている。揺動可能な各砥石５３は、ワークＷに超仕上げ加工を施すことにより、円すいころ４のストレート部９ａとクラウニング部９ｂ、９ｃからなる軌道面９を形成するために構成されている。砥石５３が揺動するとき、隣接する砥石５３に干渉しないように砥石５３、５３間に隙間Ｓ（図６参照）が設けられている。砥石５３の下端縁部５３ａにワークＷのクラウニング部９ｂ対応部が当接した状態で、ワークＷが搬送されることで、砥石５３が揺動変位する。１個のワークＷを見たとき、ワークＷがフィードドラム５１、５２の進入側から排出側まで搬送されるとき、ワークＷがフィードドラム５１、５２に対し、砥石５３を図６の反時計回りに微小に揺動変位させると共に、砥石５３の加工面である下端縁部５３ａに対してワークＷの軌道面９対応部を傾斜させて搬送することで、微小な曲率（大きな曲率半径、例えば、１０００ｍｍ程度）のクラウニング部９ｂを形成することができる。
【００２５】
図３に示すように、２本のフィードドラム５１、５２は、雄側フィードドラム５１と雌側フィードドラム５２とからなる。これらのうち雄側フィードドラム５１の案内ねじ面５４ａは、螺旋状の鍔部５５によって隣り合う案内ねじ面５４ａと区画されている。雌側フィードドラム５２の案内ねじ面５４ｂには鍔部は設けられていない。図６に示すように、鍔部５５にワークＷの大端面１１を当接させた状態で、フィードドラム５１、５２を回転させることで、ワークＷの小端面１２を前方（搬送方向）に向けて、ワークＷを矢印Ａ１で表記する進入側から排出側に搬送する。
【００２６】
次に、フィードドラム５１、５２の案内ねじ面５４ａ、５４ｂのねじ底角度および、ワークＷの軌道面９対応部と砥石５３の下端縁部５３ａとの間の傾斜角度について、図５、図６に基づいて説明する。図５に示すように、ワークＷは、２本のフィードドラム５１、５２の案内ねじ面５４ａ、５４ｂに当接している。ワークＷとフィードドラム５１、５２の当接部Ｃと各フィードドラム５１、５２の中心軸Ｌ１、Ｌ２を結ぶ直線をＫとする。直線Ｋと両フィードドラム５１、５２の中心軸Ｌ１、Ｌ２を含む平面Ｌｐとのなす角度をγとする。ワークＷは大端面１１と小端面１２を有するので、図５に示すワークＷとフィードドラム５１、５２の案内ねじ面５４ａ、５４ｂとの当接部Ｃは、便宜上、ワークＷの軸方向中央、すなわち、平均径の部分とし、この部分のワークＷの軸心Ｏは直線Ｋ上に位置する。ワークＷの軸心Ｏを通り砥石５３の中心を通る直線をＨと表記している。
【００２７】
図６は、図５のＨ−Ｏ−Ｋ線をＰ方向に矢視した図である。図６に示す角度α、βについて説明する。図５の直線Ｋと中心軸Ｌ１を含む平面上において、フィードドラム５１の案内ねじ面５４ａのねじ底と中心軸Ｌ１とのなす角度をβとする。また、図５の直線Ｈを含み中心軸Ｌ１と平行な平面上において、砥石５３の下端縁部５３ａとワークＷの転動面９対応部とのなす角をαとする。円すいころ４の転動面９は、図１に示すように円錐角θを有している。図５に示すように、直線Ｋと中心軸Ｌ１を含む平面と、直線Ｈを含み中心軸Ｌ１と平行な平面とが（９０°−γ）の角度をなす。このような幾何学的な関係にあるので、角度αを設定するためには、円錐角θと（９０°−γ）の角度を考慮して角度βが求められる。これにより求めた角度βをフィードドラム５１の案内ねじ面５４ａのねじ底に形成すると、砥石５３の下端縁部５３ａとワークＷの転動面９対応部との間に角度αが形成される。
【００２８】
図６に示すように、搬送方向の進入側から排出側に向けて、円すいころ４の転動面９のクラウニング部９ｂ、９ｃおよびストレート部９ａ〔図２（ａ）参照〕の形状に対応して角度αをα１、α２、α３、・・・α（ｎ）と変化させるために、角度βをβ１、β２、β３、・・・β（ｎ）と連続的に、あるいは段階的に変化させて形成する。図６において、角度α１〜α３は、円すいころ４の転動面９の小端面１２側のクラウニング部９ｂを超仕上げ加工する領域で、角度α（ｎ）〔α（ｎ）＝０°〕は、転動面９のストレート部９ａを超仕上げ加工する領域となる。
【００２９】
図示は省略したが、フィードドラム５２の案内ねじ面５４ｂもフィードドラム５１の案内ねじ面５４ａのねじ底角度βと同様にしてねじ底角度βが設定されている。
【００３０】
フィードドラム５１、５２の案内ねじ面５４ａ、５４ｂのねじ底面は平坦面であるので、ワークＷの外周面との接触幅を十分確保でき、ストレート部９ａとその両端の対数曲線クラウニング部９ｂ、９ｃとからなる転動面９全域を安定して超仕上げ加工することができ、効率的に、かつ高精度に加工することができる。
【００３１】
本実施形態に係る超仕上げ加工装置の構成は以上に説明したとおりである。次に、その作動を説明する。初めに、ワークＷの搬送方向の進入側から排出側に向かってフィードドラム５１、５２の案内ねじ面のねじ底角度βを段階的に変化させ、ワークＷの転動面２９対応部のクラウニング部９ｂ、９ｃ対応部およびストレート部９ａ対応部を超仕上げ加工する作動の概念を図７、図８に基づいて説明する。
【００３２】
図７は、ワークＷの軌道面９対応部の小端面１２側のクラウニング部９ｂ対応部からストレート部９ａ対応部、最後に大端面１１側のクラウニング部９ｃ対応部の順に超仕上げ加工する場合を示す。この場合は、図示のように、フィードドラム５１の案内ねじ面５４ａのねじ底角度βは、搬送方向の進入側から排出側へβ１、β２、β３、β４、β５、β６と設定する。小端面１２側のクラウニング部９ｂ対応部からストレート部９ａ対応部、大端面１１側のクラウニング部９ｃ対応部まで順に超仕上げ加工されるため、ストレート部９ａをクラウニング部９ｂ、９ｃにより滑らかにつなぐことができる。ただし、ストレート部９ａの超仕上げ後に大端面１１側のクラウニング部９ｃ対応部を超仕上げするため、ストレート部９ａに砥粒傷が残る可能性がある。
【００３３】
図８は、ワークＷの軌道面９対応部の小端面１２側のクラウニング部９ｂ対応部から大端面１１側のクラウニング部９ｃ対応部、最後にストレート部９ａ対応部の順に超仕上げ加工する場合を示す。この場合は、図示のように、フィードドラム５１の案内ねじ面５４ａのねじ底角度βは、搬送方向の進入側から排出側へβ１1、β２1、β３1、β４1、β５1、β６1と設定する。ねじ底角度βを図７の場合と比較すると、β１1＝β１、β２1＝β２、β３1＝β５、β４1＝β６、β５1＝β３、β６1＝β４となる。最後にストレート部９ａ対応部を超仕上げするため、ストレート部９ａに砥粒傷が残りにくい。
【００３４】
図７、図８おいても、フィードドラム５２の図示を省略したが、フィードドラム５２の案内ねじ面５４ｂのねじ底角度は、図７、図８それぞれのフィードドラム５１の案内ねじ面５４ａのねじ底角度βと同じねじ底角度が設定されている。
【００３５】
ワークＷが搬送方向の進入側から排出側へ通し送りされ、超仕上げ加工装置５０から排出されると、軸受用ころとしての円すいころ４となる。
【００３６】
次に、具体例を図９に基づいて説明する。フィードドラム５１、５２（図示省略）の全長に対して、６式の砥石５３1〜５３6が用意されている。搬送方向の進入側の区間Ｅに設けた２つ砥石５３1、５３2は、ワークＷの小端面１２側のクラウニング部９ｂ対応部を超仕上げする。次に、中間部の区間Ｆに設けた２つの砥石５３3、５３4は、大端面１１側のクラウニング部９ｃ対応部を超仕上げする。最後の排出側の区間Ｇに設けた２つ砥石５３5、５３6は、ストレート部９ａ対応部を超仕上げする。
【００３７】
区間Ｅのフィードドラム５１の案内ねじ面５４ａは、小端面１２側のクラウニング部９ｂの対数曲線クラウニング形状を形成するために曲率の異なる複数の円弧に対応するねじ底角度が設定されている。具体的には、区間Ｅの中の小区間Ｅ１、Ｅ２、Ｅ３、Ｅ４について、それぞれねじ底角度β１2、β２2、β３2、β４2が設定されている。同様に、区間Ｆのフィードドラム５１の案内ねじ面５４ａは、大端面１１側のクラウニング部９ｃの対数曲線クラウニング形状を形成するために曲率の異なる複数の円弧に対応するねじ底角度が設定されている。具体的には、区間Ｆの中の小区間Ｆ１、Ｆ２、Ｆ３、Ｆ４について、それぞれねじ底角度β５2、β６2、β７2、β８2が設定されている。
【００３８】
下流側の区間Ｇのフィードドラム５１の案内ねじ面５４ａは、ストレート部９ａに対応するねじ底角度が設定され、この区間Ｇについては、その全域のねじ底角度βGは同一に設定されている。
【００３９】
各小区間Ｅ１〜Ｅ４、Ｆ１〜Ｅ４の間および小区間４と区間Ｇとの間の案内ねじ面５４に接続部があり、ねじ底角度βが段階的に変化する。
【００４０】
図示は省略したが、フィードドラム５２の案内ねじ面５４ｂも同様に区間Ｅ〜Ｇ、小区間Ｅ１〜Ｅ４、Ｆ１〜Ｆ４が設けられ、小区間Ｅ１〜Ｅ４、Ｆ１〜Ｆ４および区間Ｇにフィードドラム５１の案内ねじ面５４ａのねじ底角度と同じねじ底角度が設定されている。
【００４１】
小区間Ｅ１〜Ｅ４、Ｆ１〜Ｆ４の軸方向距離はクラウニング形状に応じて適宜設定される。また、区間Ｅ〜ＧはワークＷのサイズや型番等を考慮して適宜設定される。
【００４２】
本実施形態の超仕上げ加工装置の具体例は、以上のように構成されているので、ワークＷが搬送方向の進入側から排出側へ通し送りされると、ストレート部９ａおよびクラウニング部９ｂ、９ｃからなる転動面９の全域が効率的に、かつ高精度に超仕上げ加工される。ワークＷが、搬送方向の進入側から排出側へ通し送りされ、超仕上げ加工装置から排出されると、図２（ａ）、図２（ｂ）に示す軸受用ころとしての円すいころ４となる。したがって、軸受用ころの対数曲線クラウニング部を有する転動面全域を１台の加工機で超仕上げ加工することができ、製造コストの低減、生産性の向上が図れる。
【００４３】
本実施形態では、加工対象となる軸受用ころを円すいころ軸受１の円すいころ４を例示したが、これに限られず、円筒ころ軸受の円筒ころであってもよい。円筒ころ軸受２１は、図１０に示すように、外輪２２と内輪２３と円筒ころ２４と保持器２５とで構成されている。外輪２２は、その内周面に円筒状の軌道面２６を有し、軌道面２６の両端につば面２７を有する。内輪２３は外周面に円筒状の軌道面２８有する。円筒ころ２４は、外輪２２と内輪２３との間に配置され、外周面に円筒状の転動面２９を有し、両端に端面３０を有する。保持器２５は多数の円筒ころ２４を一定間隔でポケット３１に転動自在に収容する。図示は省略するが、円筒ころ２４の転動面２９の両端部に対数曲線クラウニングが形成されている。クラウニング形状の詳細は、前述した円すいころ１のクラウニング形状と同様であるので、円すいころ１で説明した内容を準用する。また、超仕上げ加工装置および超仕上げ加工方法は前述した実施形態と同様であるので、その説明内容を準用し、説明を省略する。
【００４４】
本発明は前述した実施形態に何ら限定されるものではなく、本発明の要旨を逸脱しない範囲内において、さらに種々の形態で実施し得ることは勿論のことであり、本発明の範囲は、特許請求の範囲によって示され、さらに特許請求の範囲に記載の均等の意味、および範囲内のすべての変更を含む。
【符号の説明】
【００４５】
１          円すいころ軸受
２          外輪
３          内輪
４          円すいころ
５          保持器
９          転動面
９ａ        ストレート部
９ｂ        クラウニング部
９ｃ        クラウニング部
２１        円筒ころ軸受
２２        外輪
２３        内輪
２４        円筒ころ
２５        保持器
２９        転動面
５０        超仕上げ加工装置
５１        フィードドラム
５２        フィードドラム
５３        砥石
５３ａ      下端縁部
５４ａ      案内ねじ面
５４ｂ      案内ねじ面
Ｌ１        中心軸
Ｌ２        中心軸
Ｗ          ワーク
α          角度
β          ねじ底角度
θ          円錐角
【図１】
2017094404.tif 000003
【図２】
2017094404.tif 000004
【図３】
2017094404.tif 000005
【図４】
2017094404.tif 000006
【図５】
2017094404.tif 000007
【図６】
2017094404.tif 000008
【図７】
2017094404.tif 000009
【図８】
2017094404.tif 000010
【図９】
2017094404.tif 000011
【図１０】
2017094404.tif 000012